【手続補正書】
【提出日】平成17年11月8日(2005.11.8)
【手続補正１】
【補正対象書類名】特許請求の範囲
【補正対象項目名】全文
【補正方法】変更
【補正の内容】
【特許請求の範囲】
【請求項１】
腹膜特性を評価することと予め決められた患者についての腹膜透析を改善することとのうち少なくとも一方のために、当該患者の腹膜に含まれる透析物の体積フラクションを特定の時間間隔でもって自動的にサンプリングするようになっている自動サンプリングシステムにおいて、一定量の各流体試料を特定のサンプリング容器に向かわせるようになっている一連のサンプリング容器、吐出手段、および一連のバルブを具備した自動腹膜透析サンプリングシステム。
【請求項２】
請求項１に記載の自動腹膜透析サンプリングシステムと、透析液を腹膜腔に供給するための供給ラインおよび供給手段と、透析液を腹膜腔から排出するための排出ラインおよび排出手段と、患者の腹膜と腹膜透析システムの排出手段との間に設けられた排出ライン上のＹ字状部に接続できるようにするための接続手段と、を具備した腹膜透析システム。
【請求項３】
体積フラクションをサンプリングするときの特定の時間間隔を腹膜透析プログラムシーケンスとの関係において決定するための手段を具備した請求項２に記載の腹膜透析システム。
【請求項４】
交換サイクルごとに異なる透析液と異なる濃度とのうち少なくとも一方を使用できるようにするための手段を具備した請求項２または３に記載の腹膜透析システム。
【請求項５】
腹膜透析サイクルのドウェル時間と排出サイクルとのうち少なくとも一方において、自動サンプリングができるようにするための手段を具備した請求項２から４までのいずれか一項に記載の腹膜透析システム。
【請求項６】
前記バルブが電磁式のものである請求項２から５までのいずれか一項に記載の腹膜透析システム。
【請求項７】
前記吐出手段が蠕動式である請求項２から６までのいずれか一項に記載の腹膜透析システム。
【請求項８】
特定の排出サイクルの試料を捕集するために、腹膜透析システムを排出手段と廃物捕集器との間の排出ラインに接続するための接続手段を具備した請求項２から４までのいずれか一項に記載の腹膜透析システム。
【請求項９】
患者とサンプリングレベルとの間に含まれるデッドボリュームと少なくとも等価の液体体積分を２回のサンプリング同士間においてなくすための手段をさらに具備した請求項２から８までのいずれか一項に記載の腹膜透析システム。
【請求項１０】
自動腹膜透析交換システムをさらに具備し、これら自動腹膜透析サンプリングシステムおよび自動腹膜透析交換システムは患者の腹膜に接続されており、自動腹膜透析サンプリングシステムが自動腹膜透析交換システムの透析交換サイクルに基づいて各サンプリングに適したタイミングを判断できるようにするために、情報を交換するための手段を具備した請求項２から９までのいずれか一項に記載の腹膜透析システム。
【請求項１１】
自動腹膜透析サンプリングシステムと自動腹膜透析交換システムとの両方が、互いに同期されるようになっている請求項１０に記載の腹膜透析サンプリングシステム。
【請求項１２】
自動腹膜透析サンプリングシステムの機能をプログラムしかつサンプリング情報を記憶するのに必要なすべてのデータを含むメモリキーを具備した請求項２から１１までのいずれか一項に記載の腹膜透析システム。
【請求項１３】
サンプリング容器が柔らかい袋からなる請求項２から１２までのいずれか一項に記載の腹膜透析システム。
【請求項１４】
抜き出しラインに開放接続されているときに液体を自動的に抜き出すために、サンプリング容器内が真空にされている請求項２から１２までのいずれか一項に記載の腹膜透析システム。
【請求項１５】
試料体積分を管内に逐次捕集するための手段をさらに具備し、自動腹膜透析サンプリングシステムが各試料間に挿入する空気の泡でもって、各試料が先に捕集された試料から分離される請求項２から１２までのいずれか一項に記載の腹膜透析システム。
【請求項１６】
試料を分析のときまで最適条件に維持するための冷却手段を具備した冷却箱内に、サンプリング容器が収容される請求項２から１５までのいずれか一項に記載の腹膜透析システム。
【請求項１７】
試料の少なくとも一つの特性をインラインで直接分析するための分析手段を具備した請求項２から１６までのいずれか一項に記載の腹膜透析システム。
【請求項１８】
前記分析手段によって、グルコース、尿素、クレアチニン、ナトリウム、塩化物、アルブミン、蛋白、浸透圧モル濃度、またはｐｈのうち少なくとも一つの構成要素または特性を測定できるようになる請求項１７に記載の腹膜透析システム。
【請求項１９】
膜特性評価と特定の患者についての腹膜透析とのうち少なくとも一方を改善するために、インライン分析の結果を使用して次の腹膜透析交換サイクルまたはサンプリング間隔を最適化する手段を具備した請求項１７または１８に記載の腹膜透析システム。
【請求項２０】
体積フラクションをサンプリングするときの特定の時間間隔を腹膜透析プログラムシーケンスとの関係において決定するための手段を具備した請求項１９に記載の腹膜透析システム。
【請求項２１】
１回の交換サイクルであるか全交換サイクルであるかに関係なく、交換サイクルごとに異なる透析液と異なる濃度とのうち少なくとも一方を使用するための手段を具備した請求項２から２０までのいずれか一項に記載の腹膜透析システム。
【請求項２２】
腹膜特性の評価を改善することと特定の患者についての腹膜透析を改善することとのうち少なくとも一方のために、腹膜透析サイクルのドウェル時間と排出サイクルとのうち少なくとも一方において、自動サンプリングが実行可能となるようにするための手段を具備した請求項２から２１までのいずれか一項に記載の腹膜透析システム。
【請求項２３】
患者とサンプリングレベルとの間に含まれるデッドボリュームと少なくとも等価の液体体積分を２回のサンプリング同士間においてなくすための手段を具備した請求項２から２２までのいずれか一項に記載の腹膜透析システム。
【請求項２４】
サンプリング体積分を管内に逐次捕集すると共に、自動腹膜透析サンプリングシステムが各試料間に挿入する空気の泡でもって、各試料を先に捕集された試料から分離するための手段を具備した請求項２から１２までおよび請求項１５から２３までのいずれか一項に記載の腹膜透析システム。
【手続補正２】
【補正対象書類名】明細書
【補正対象項目名】００３１
【補正方法】変更
【補正の内容】
【００３１】
図１による腹膜透析システムは、第１の蠕動ポンプ３と、透析液容器４と、ライン６，７とを具備した第１のシステム１からなり、ライン６，７は、第１の蠕動ポンプ３と患者５との間に配置された供給兼排出ライン７と、第１の蠕動ポンプ３と第１の廃物捕集器１０との間に配置された排出ライン６とからなる。透析液容器４および排出ライン６を交互に、例えば電気機械式のバルブ９によって供給兼排出ライン７に接続することができる。
【手続補正３】
【補正対象書類名】明細書
【補正対象項目名】００３３
【補正方法】変更
【補正の内容】
【００３３】
図１による腹膜透析システムはまた、第２の蠕動ポンプ１１と、捕集ライン１２と、導管２０を介してサンプリングライン８に連結されたサンプリング容器１３と、分析ユニット１５を具備した分析ライン１６とから構成される自動サンプリングシステム２を含む。サンプリングライン８、導管２０、分析ライン１６および捕集ライン１２すべてを交互に、適当なバルブ１９によって第２の蠕動ポンプ１１に接続することができる。